(57)【要約】【課題】各種端子台記号紙を容易に、かつ、良好に作成することが可能な応用性を有する端子台記号紙印刷データ作成方法および端子台記号紙印刷データ作成装置を得る。【解決手段】用紙に印刷される端子台記号紙を作成するための端子台記号紙印刷データ作成方法であって、端子台記号台紙の外形寸法と端子台の行数および列数とを設定情報として設定する設定ステップＳ４−２と、前記設定情報に基づいて行の大きさおよび列の大きさを演算して、端子台記号台紙を作成する端子台記号台紙作成ステップＳ４−３，Ｓ４−４とを備えているので、端子台記号台紙の外形寸法と端子台の行数および列数を設定することにより、自動的に行の大きさおよび列の大きさを計算し、端子台記号台紙を容易に作成することができる。【選択図】図４
2006150739.tif 000002
【特許請求の範囲】
【請求項１】
用紙に印刷される端子台記号紙を作成するための端子台記号紙印刷データ作成方法であって、
端子台記号台紙の外形寸法と端子台の行数および列数とを設定情報として設定する設定ステップと、
前記設定情報に基づいて行の大きさおよび列の大きさを演算して、端子台記号台紙を作成する端子台記号台紙作成ステップと
を備えたことを特徴とする端子台記号紙印刷データ作成方法。
【請求項２】
用紙に印刷される端子台記号紙を作成するための端子台記号紙印刷データ作成方法であって、
端子台記号台紙の端子配置の形状と端子配置のずらす寸法とを設定情報として設定する設定ステップと、
前記設定情報に基づいて、行の大きさ、列の大きさ、および、列の配置を演算して、端子台記号台紙を作成する端子台記号台紙作成ステップと
を備えたことを特徴とする端子台記号紙印刷データ作成方法。
【請求項３】
端子台記号台紙の外形寸法と端子台の行数および列数を設定情報として入力する入力手段と、
入力された前記設定情報に基づいて行の大きさおよび列の大きさを演算して、端子台記号台紙を作成する演算手段と、
前記演算手段による演算結果を記憶する記憶手段と、
前記演算手段による演算結果を表示する表示手段と、
前記演算手段による演算結果を外部に出力する出力手段と
を備えたことを特徴とする端子台記号紙印刷データ作成装置。
【請求項４】
端子台記号台紙の端子配置の形状と端子配置のずらす寸法とを設定手段として入力する入力手段と、
入力された前記設定情報に基づいて、行の大きさ、列の大きさ、および、列の配置を演算して、端子台記号台紙を作成する演算手段と、
前記演算手段による演算結果を記憶する記憶手段と、
前記演算手段による演算結果を表示する表示手段と、
前記演算手段による演算結果を外部に出力する出力手段と
を備えたことを特徴とする端子台記号紙印刷データ作成装置。
【発明の詳細な説明】
【技術分野】
【０００１】
この発明は、端子台記号紙印刷データ作成方法および端子台記号紙印刷データ作成装置に関するものである。
【背景技術】
【０００２】
端子台記号紙とは、端子台に配線される電線の記号や番号等の端子名称を記入して端子台に取り付けられるものであり、従来は端子台記号紙を作成する場合、端子台に添付されている端子台記号台紙に手書きにより記入するか、不滅スタンプで印字するか、または、汎用のパソコン上で汎用の図形作成用アプリケーションソフト等により端子台記号台紙（端子台記号紙の台紙）を作成し、端子名称を記入して汎用のプリンタで用紙に印刷し端子台記号紙部分を切り取って作成していた。
【０００３】
また、他の従来例として、汎用コンピュータとプリンタを用いて、パーツラベル、銘板、記名紙等を製作するためのテンプレートを選び、表示シート画面と同等のイメージで編集入力を可能としたものが提案されている（例えば、特許文献１参照。）。
【０００４】
【特許文献１】特開２００３−２１１７３８号公報（第３−６頁、図３）
【発明の開示】
【発明が解決しようとする課題】
【０００５】
端子台に添付されている端子台記号台紙に手書きにより端子名称を記入する場合は、手書きであるためにきれいに作成することが難しく、かつ、その都度作成することが必要であるという問題点があった。
【０００６】
また、端子台に添付されている端子台記号台紙に不滅スタンプで印字する場合は、端子名称を１文字づつ押印する必要があり、多くの時間を要し、かつ、その都度作成することが必要であるという問題点があった。
【０００７】
汎用のパソコン上で汎用の図形作成用アプリケーションソフト等により端子台記号台紙を作成し、端子名称を記入し汎用のプリンタで用紙に印刷し端子台記号紙部分を切り取って作成する場合は、端子台記号紙の図形の作成およびデータの入力に多くの時間を要していた。具体的には新規に端子台記号紙を作成する場合、１つ分の端子台枠の寸法を実測で測定するか、もしくは、端子台記号紙の外形寸法と行数、列数により手計算を行い、図形作成用アプリケーションソフトウエアで１つずつ枠を作図していく必要があった。また、端子番号や端子名称を入力する場合、１つ１つ入力していく必要があった。
【０００８】
また、上記特許文献１で示される表示シート用紙は、印刷位置がソフトウエアに記憶されているため、配設が違う表示シート用紙は使用できず、応用性に欠けると言った問題点があった。
【０００９】
この発明は、かかる問題点を解決するためになされたものであり、応用性を備え、各種端子台記号紙を容易に、かつ、良好に作成することが可能な端子台記号紙印刷データ作成方法および端子台記号紙印刷データ作成装置を得ることを目的としている。
【課題を解決するための手段】
【００１０】
この発明は、用紙に印刷される端子台記号紙を作成するための端子台記号紙印刷データ作成方法であって、端子台記号台紙の外形寸法と端子台の行数および列数とを設定情報として設定する設定ステップと、前記設定情報に基づいて行の大きさおよび列の大きさを演算して、端子台記号台紙を作成する端子台記号台紙作成ステップとを備えた端子台記号紙印刷データ作成方法である。
【発明の効果】
【００１１】
この発明は、用紙に印刷される端子台記号紙を作成するための端子台記号紙印刷データ作成方法であって、端子台記号台紙の外形寸法と端子台の行数および列数とを設定情報として設定する設定ステップと、前記設定情報に基づいて行の大きさおよび列の大きさを演算して、端子台記号台紙を作成する端子台記号台紙作成ステップとを備えた端子台記号紙印刷データ作成方法であるので、端子台記号台紙の外形寸法と端子台の行数、列数を設定することにより、自動的に行の大きさ、列の大きさを計算し、各種専用の端子台記号紙を、容易に、かつ、良好に作成することが可能である。また、端子台記号台紙の外形寸法と端子台の行数および列数を任意に設定することができるので、あらゆる大きさの端子台記号紙にも対応することができ、応用性がある。
【発明を実施するための最良の形態】
【００１２】
実施の形態１．
本発明の実施の形態１に基づく端子台記号紙印刷データ作成装置の構成としては、図１２に示されるように、入力手段１２−１と、表示手段１２−２と、演算手段１２−３と、記憶手段１２−４と、出力手段１２−５とから構成されている。
【００１３】
入力手段１２−１とは、汎用パソコンでいうキーボードおよびマウスのようなものであり、端子台記号台紙の外形寸法と端子台の行数、列数、端子配置の形状と端子配置のずらす寸法、線の太さ、文字の寸法、線の種類、線の色、文字の色、背景色、文字のフォント、文字の回転、文字の配置、所定位置への印字における余白の設定などを入力するもので、表示手段１２−２の画面を確認しながら実施されるものである。さらに、入力手段１２−１は、図９の９−２として示されるＣＳＶ（Ｃｏｍｍａ  Ｓｅｐａｒａｔｅｄ  Ｖａｌｕｅ）形式のデータを入力するものである。
【００１４】
表示手段１２−２とは、ＣＲＴモニタや液晶モニタなどの画像表示が可能な表示装置である。
【００１５】
演算手段１２−３とは、例えばコンピュータのＣＰＵであり、入力手段１２−１から入力された各種データにより、予め搭載されているプログラムを用いて、自動的に、例えば、行の大きさ、列の大きさなどを計算するものである。さらに、演算手段１２−３は、演算結果によって、表示手段１２−２にデータを出力して表示を行い、また、演算結果を記憶手段１２−４にデータとして保存し、さらに、演算結果によって、出力手段１２−５にデータを出力するものである。
【００１６】
記憶手段１２−４とは、例えばコンピュータのメモリ（ＲＡＭ、ＲＯＭ）であり上記演算手段１２−３により入力手段１２−１から入力したデータや、演算手段１２−３により演算された結果のデータや、図３のデータ登録手段３−９のデータや、図９のＣＳＶデータ９−２等を記憶するためのものである。
【００１７】
出力手段１２−５とは、例えば紙出力の場合は、プリンタであり、電子データの場合は、フレキシブルディスクドライブやＣＤ−Ｒドライブであり、図３の印刷手段３−１７へ出力することや、各種マークチューブ印刷機専用の印刷データである図３のユーザマークチューブデータ３−１４を出力することや、図９の９−２のＣＳＶ（Ｃｏｍｍａ  Ｓｅｐａｒａｔｅｄ  Ｖａｌｕｅ）形式のデータである図３のＣＳＶ形式データ３−１６を出力するものである。
【００１８】
なお、演算手段１２−３および記憶手段１２−４は、コンピュータに内蔵された一体形のものであってもよく、あるいは、別体のものであってもよい。
【００１９】
また、出力手段１２−５の電子データ出力の場合、フレキシブルディスクドライブやＣＤ−Ｒドライブがコンピュータに装着された一体形のもの、コンピュータとは別体に設けられたものであってもよい。
【００２０】
さらに、端子台記号紙印刷に必要な各種データをキーボードやマウスで入力する代わりに各種データが記憶されたフレキシブルディスクやＣＤ−ＲＯＭから各種データを読込んでもよい。
【００２１】
記憶手段１２−４には、端子台記号紙作成に必要な処理プログラムが格納されており、基本的な端子台記号紙作成処理は、インストールされたソフトを開き、例えば端子台記号台紙の外形寸法と端子台の行数および列数などをキーボード等の入力手段１２−１で入力し、演算手段１２−３により演算した結果を、出力手段１２−５のプリンタなどに出力する。なお、上記処理プログラムは、一般的な「ウィンドウ方式」に基づいたものである。
【００２２】
次に、具体的な端子台記号紙作成処理について説明する。端子台記号紙とは、図１（ａ）に符号１−１および１−２に一例が示されるように、端子番号（図１の１−１ａ）および端子名称（図１の１−１ｂ）を記入した用紙であり、通常は、端子台に取り付けて使用される。端子台記号紙には、種々のレイアウトのものがあり、例えば、図１（ａ）に示されるような互い配置のものや、図１（ｂ）に示されるような並列配置のものがある。また、端子台記号紙に記載されている端子名称１−１ｂはケーブルの接続名称や、端子に配線される信号の機能を表示するのに使用される。本実施の形態に係る端子台記号紙印刷ソフトウエアは、図３に示すような入力手段（図３の３−６）と、画面表示手段（図３の３−７）と、演算手段（図３の３−８）と、図３のデータ登録手段３−９（含、図３の３−１０、３−１１、３−１２、３−１３、３−１４、３−１５、３−１６）とを備える汎用パソコン上で動作する図３のアプリケーションソフトウエアプログラム３−１（含、図３の３−２、３−３、３−４）であり、汎用パソコン上で動作する本発明のアプリケーションソフトウエアを使用して端子台記号紙が作成される。
【００２３】
次に端子台記号紙作成にあたり、アプリケーションソフトウエアプログラムについて図３を参照しながら説明する。
【００２４】
この発明における第一の特徴は、端子台記号台紙作成ソフトウエア（図３の３−２）で、所定の数字、文字、記号を所定位置に入力するように予め設定された端子台記号台紙を作成することである。端子台記号台紙とは、図１（ｂ）の端子台記号台紙１−３、１−４、１−１１、１−１４に示されるように、枠組みが図形で構成されて、端子番号１−１ａのみが表示されており、所定箇所に所定の数字、文字、記号を入力するための台紙である。作成者（オペレータ）は、表示手段１２−２の画面を見ながら、当該端子台記号台紙を作成または編集し、図３のユーザ端子台記号台紙データ３−１１として記憶手段１２−４に登録保管される。したがって、一度登録されれば、最初から端子台記号台紙データを作成する必要もなくよって入力漏れを防止でき作業効率が向上する。このように作成された端子台記号台紙データは、ユーザごとに保存することも可能で必要時に読み出して端子台記号紙を作成することが可能で、端子台記号紙を作成の都度、数字、文字、記号を入力する必要がなく、また変更の場合は、端子台記号台紙データを流用して、変更箇所のみ、数字、文字、記号を入替えればよく端子台記号台紙データを短時間で作成ができ作業効率が向上する。
【００２５】
この発明における第二の特徴は、端子名称（図１の１−１ｂ）を記入するための端子台記号紙作成ソフトウエア（図３の３−３）で、端子台記号台紙１−３、１−４、１−１１、１−１４として登録されている端子台記号台紙データ（図３の３−１０、３−１１）を端子台記号紙作成ソフトウエア３−３で読み出し、端子名称の入力または編集を行い、図１（ｃ）の端子台記号紙１−１５、１−１６、１−１７、１−１８を作成し、ユーザ端子台記号紙データ（図３の３−１２）として汎用パソコン上に登録する機能である。
【００２６】
この発明における第三の特徴は、端子台記号紙データを用紙に印刷するための端子台記号紙印刷シートを作成するための端子台記号紙シート作成ソフトウエア（図３の３−４）で、図２（ａ）に示されるような端子台記号紙印刷シート２−１を作成するために、印刷したい端子台記号紙を、登録されているユーザ端子台記号紙データ（図３の３−１２）から読み出し、ユーザ端子台記号紙シートデータ（図３の３−１３）として汎用パソコン上に登録するとともに、印刷手段を有する汎用プリンタ（図３の３−１７）により端子台記号紙印刷シートを印刷する機能である。
【００２７】
上述したアプリケーションソフトウエアプログラムを読み出し、印刷用端子台記号紙シートとして登録されたユーザ端子台記号紙シートデータ（図３の３−１３）を、印刷手段を有する汎用プリンタ（図３の３−１７）により印刷し、印刷された用紙の中から端子台記号紙部分を、切り取り線２−２に従って、カッターナイフ等で切り取って端子台記号紙の作成を行うものである。このように、端子台記号紙の作成過程において、アプリケーションソフトウエアによって機能を分けることで、機能が複雑化するのを防ぎ、さらに誤った操作によってデータを不用意に破壊することを簡易的に防ぐとともに、端子台記号紙の作成者にとって分かりやすくすることを可能にしている。
【００２８】
次に端子台記号台紙の図形設定方法について説明する。
この発明における図形設定方法における特徴は、端子台記号台紙を作成する過程における図形の作成を簡単に行うために創作されたものであるということであり、実施の形態１は、はじめに図４のステップＳ４−１にて、端子台記号台紙の図形の設定入力を行うための予め用意されている端子台記号台紙の図形設定入力画面を選択し、次のステップＳ４−２にて端子台記号台紙の外形寸法である縦寸法（図１の１−５）と横寸法（図１の１−６）および端子台記号台紙の行数、列数を設定する。次のステップＳ４−３で、端子台記号台紙の外形寸法と行数、列数の設定情報に基づき、端子台記号台紙の１つ分の行幅（図１の１−７）と列幅（図１の１−８）を図３の演算手段３−８により自動的に計算し、自動計算された１つ分の端子台枠（図１の１−１０）を行数、列数の設定情報に基づき等分に配列させる。次のステップＳ４−４で上記の設定に基づく端子台記号台紙の情報を確認表示するために、図３の画面表示手段３−７により、画面上に記号紙全体を表示させ、ステップＳ４−５で設定内容に問題がないか否かを判定する。設定内容に問題がなければ、ステップＳ４−６で、ユーザ端子台記号台紙データ（図３の３−１１）として登録を行い設定完了となる。ステップＳ４−５で設定内容に問題がある場合は、ステップＳ４−２に戻り、端子台記号台紙の外形寸法である縦寸法（図１の１−５）と横寸法（図１の１−６）および端子台記号台紙の行数、列数を再度設定することが可能である。
【００２９】
以上のように、本実施の形態１によれば、端子台記号台紙の外形寸法と行数および列数を任意に設定することにより、当該設定情報に基づき、自動的に、行の大きさ、列の大きさを計算して、各種の端子台記号紙を、簡単に、かつ、配列よく、良好に作成することができる。このように、端子台記号台紙の外形寸法と行数および列数が任意に設定可能であるので配設が異なる端子台記号台紙にも制限されることなく対応が可能である。
【００３０】
実施の形態２．
上述したように、端子台記号紙には、種々のレイアウトのものがあり、図１（ｃ）の１−１６として示されるような互い配置の端子台記号紙と、図１（ｃ）の１−１８として示されるような並列配置の端子台記号紙がある。このなかで、本実施の形態２は、互い配置の端子台記号台紙を容易に作成するためのものである。図５に、本実施の形態２における（ａ）処理の流れと、（ｂ）画面表示の一例と、（ｃ）設定値の定義を説明する図とを示す。
【００３１】
本実施の形態２は、はじめに、図５（ａ）のステップＳ５−１で端子台記号台紙の配置設定入力画面を選択し、次に、ステップＳ５−２で、作成したい端子台記号台紙が、互い配置か並列配置かを選択する。ステップＳ５−３で、互い配置が選択された場合は、ステップＳ５−４において、互い配置の形状、および、互い配置のずらす寸法の設定を行う。なお、互い配置の形状は、図５（ｂ）の５−８として示される左側の列を基準にしたとき右側の列が上方向にずれている形状（タイプ１）と、図５（ｂ）の５−９として示される左側の列を基準にしたとき右側の列が下方向にずれている形状（タイプ２）とがあり、図５（ｂ）の５−８か５−９のいずれかのタイプを選択する。選択する際には、図５（ｂ）の画面において、マウスポインタによりタイプ１およびタイプ２のいずれかを指してクリックする。また、互い配置のずらす寸法とは、図５（ｃ）の５−１１として示される通り、右側の列の上端を基準にしたときの、左側の列の上端までの寸法であり、図５（ｂ）の入力画面における入力欄５−１０に所望の値を入力する。次にステップＳ５−５で、上記で設定された端子台記号台紙の情報を図３の画面出力手段３−７で画面上に全体表示させ、設定内容に問題がなければステップＳ５−７でユーザ端子台記号台紙データの登録（図３の３−１１）を行い設定が完了となる。なお、ステップＳ５−３で互い配置が選択されない場合、すなわち、並列配置を選択した場合は、ステップＳ５−５に移行され、端子台記号台紙の情報を図３の画面出力手段３−７で画面上に全体表示させ、設定内容に問題がなければステップＳ５−７でユーザ端子台記号台紙データ（図３の３−１１）として登録を行い設定が完了となる。
【００３２】
以上のように、本実施の形態によれば、上述の実施の形態１と同様の効果が得られるとともに、さらに、互い配置の端子台記号台紙を選択した場合には、２つのタイプから所望のものを１クリック操作で簡単に選択して、かつ、ずらす寸法を任意に設定できるので、容易に、かつ、配置よく、互い配置の良好な端子台記号台紙を作成することができる。
【００３３】
実施の形態３．
端子台記号紙には、図１（ｂ）の１−９として、または、１−１２として示されるように、端子台記号紙の端子枠の間に隙間を有するものがある。また、図１（ｂ）の１−１３に示されるような端子台記号紙の耳を有するものがある。本実施の形態３は、端子台記号台紙の作成時に隙間および耳を付加することが容易に行えるようにしたものである。図６に、本実施の形態３における処理の流れを示す。
【００３４】
本実施の形態３は、まず、図６のステップＳ６−１で、端子台記号台紙の耳および隙間を設定するための予め用意されている画面を選択する。次に、ステップＳ６−２で端子台記号台紙に耳または隙間を付けるか付けないかを選択する。当該選択の際には、所望の方をマウスポインタで指してクリックする。ステップＳ６−２で端子台記号台紙に耳または隙間を付けることを選択した場合は、ステップＳ６−３で端子台記号台紙の隙間または耳を挿入する場所を設定する。次にステップＳ６−４で端子台記号台紙の隙間または耳の寸法を設定する。次のステップＳ６−５で、上記で設定した端子台記号台紙の隙間または耳の寸法と端子台記号台紙の外形寸法と行数、列数の設定情報に基づき、外形寸法の縦寸法から隙間および耳の寸法を引き算して、残りの寸法を行の個数で等配分するという演算を、図３の演算手段３−８により自動計算する。次にステップＳ６−６で上記にて設定された端子台記号台紙の情報を、図３の画面表示手段３−７により画面上に全体表示させ、ステップＳ６−７で設定内容に問題がなければ、ステップＳ６−８でユーザ端子台記号台紙データ（図３の３−１１）として登録を行い設定完了となる。またステップＳ６−２で端子台記号台紙に耳または隙間を付けないことを選択した場合は、ステップＳ６−６に移行し、端子台記号台紙の情報を画面上に全体表示させ、ステップＳ６−７で設定内容に問題がなければステップＳ６−８でユーザ端子台記号台紙データ（図３の３−１１）として登録を行い設定が完了となる。
【００３５】
以上のように、本実施の形態においては、上述の実施の形態１と同様の効果が得られるとともに、さらに、隙間および／または耳を挿入する場所とそれらの寸法とを任意に設定できるようにしたので、隙間や耳の付加の有無を任意に１クリック操作で簡単に選択して、かつ、それらの寸法を任意に設定できるので、容易に、かつ、配置のよい良好な端子台記号台紙を作成することができる。
【００３６】
実施の形態４．
汎用のプリンタによって用紙に印刷された端子台記号紙シート（図２（ａ）の２−１）から端子台記号紙部分を切り取り線２−２にカッターガイドを当て、カッターナイフ等で切り取る場合、端子台記号紙の外枠の線を残して切り取るか、あるいは、端子台記号紙の外枠の線を残さず外枠の線の内側を切り取るか、あるいは、端子台記号紙の外枠線の中心部を切り取るか等、様々な場合が想定される。本実施の形態４では、図２（ａ）に示されるような端子台記号紙の切り取り線２−２の印刷を端子台記号紙に付加し、さらに、切り取り線２−２について、端子台記号紙からの寸法、切り取り線の太さ、種類、色を設定することにより、用紙に印刷された端子台記号紙を容易に切り取ることを可能とする。
【００３７】
図７に、本実施の形態４の処理の流れを示す。本実施の形態４は、はじめに、図７のステップＳ７−１で、予め用意されている端子台記号台紙の切り取り線設定入力画面を選択する。次のステップＳ７−２で端子台記号台紙に切り取り線２−２を付加するかしないかを選択する。次のステップＳ７−３でいずれが選択されたかを判定し、切り取り線有りが選択されている場合は、次のステップＳ７−４で端子台記号台紙から切り取り線２−２までの寸法を予め用意されている入力欄（図示省略）に入力する。端子台記号紙から切り取り線２−２までの寸法は、図２（ｂ）に示す上寸法２−３、下寸法２−４、左寸法２−５、右寸法２−６がそれぞれ設定可能である。また、設定寸法が正数のときは、端子台記号台紙の外側に設定された寸法間隔を取って切り取り線２−２を配置し、設定寸法が負数のときは、端子台記号台紙の内側に設定された寸法間隔を取って、切り取り線２−２を配置する。次に、ステップＳ７−５で、図２（ｂ）の切り取り線の太さ２−７、種類、色を設定し入力欄（図示せず）に入力する。次に、ステップＳ７−６で、端子台記号台紙と切り取り線２−２を上記で設定された情報を基に、図３の画面表示手段３−７により画面上に全体表示し、ステップＳ７−７で、設定内容に問題無いと判定された場合には、ユーザ端子台記号台紙データ（図３の３−１１）として登録し完了となる。
【００３８】
以上のように、本実施の形態においては、上述の実施の形態１と同様の効果が得られるとともに、さらに、端子台記号台紙を切り取るための切り取り線２−２を印刷できるようにしたので、用紙に印刷された端子台記号紙を容易に切り取ることができる。また、端子台記号台紙から切り取り線２−２までの寸法を任意に設定することができるので、ユーザの使いやすい位置に切り取り線２−２を任意に印刷できるので、便利である。
【００３９】
実施の形態５．
端子台記号台紙を作成する過程において、端子台の端子番号（図１の１−１ａ）をあらかじめ付加しておく場合がある。本実施の形態５は、端子番号を容易につけることを可能としたものであり、図８（ａ）に示す手順で行われる。はじめに、図８（ａ）のステップＳ８−１で、予め用意されている端子台記号台紙の端子番号設定画面を選択する。次に、ステップＳ８−２で端子番号の自動割付を行うか行わないかを選択する。端子番号の自動割付を行うことを選択した場合、次のステップＳ８−３で、端子番号の自動割付を行うときの１０進数、８進数、１６進数の基数を設定し、かつ、端子番号の先頭番号の設定、および、端子番号をつける順序の設定を行う。端子番号の基数は、図８（ｂ）の８−８として示される画面上で１０進数、８進数、１６進数のいずれかを選択し設定を行う。端子番号の先頭番号の設定は、図８（ｂ）の８−７として示される画面上で行い、基数が１０進数の場合は０から９９９９までの範囲の値を、基数が８進数の場合は０から７７７７までの範囲の値を、基数が１６進数の場合は０からＦＦＦＦまでの範囲の値を、任意の数値で設定し入力が可能である。端子番号をつける順番は、図８（ｂ）の８−９として示されるように８通りの中から画面上で選択を行う。次に、ステップＳ８−４で設定された情報に基づき、図３の画面表示手段３−７により、端子台記号台紙を画面上に全体表示し、ステップＳ８−５で、設定内容に問題が無いと判断されれば、ステップＳ８−６で、ユーザ端子台記号台紙データ（図３の３−１１）として登録し設定が完了となる。
【００４０】
以上のように、本実施の形態においては、上述の実施の形態１と同様の効果が得られるとともに、さらに、必要に応じて、端子番号を端子台記号台紙に予め印刷するように設定することができるので、便利である。また、種々の使用条件に合わせて、端子番号の自動割付を行うときの基数、端子番号の先頭番号、および、端子番号をつける順序を、任意に選択することができるので、種々の端子台記号台紙への対応が可能である。
【００４１】
実施の形態６．
本実施の形態６は、市販されている端子台に添付されている端子台記号台紙のデータをあらかじめ標準端子台記号台紙データとして汎用パソコンに登録しておくことにより、端子台記号紙作成時に登録されている標準端子台記号台紙データを読み出し、端子名称を入力するだけで簡単にユーザ端子台記号紙データが作成できるようにしたものである。すなわち、本実施の形態６においては、例えば、図３のアプリケーションソフトウエアプログラム３−２、３−３、３−４を汎用パソコンにインストールするのと同時に、図３の標準端子台記号台紙データ３−１０を登録するようにする。
【００４２】
以上のように、本実施の形態においては、上述の実施の形態１と同様の効果が得られるとともに、さらに、所定の端子台記号台紙のデータをあらかじめ標準端子台記号台紙データとして登録しておくことにより、端子台記号紙作成時に、登録されている標準端子台記号台紙データを読み出して、端子名称を入力するだけで簡単にユーザ端子台記号紙データを作成することができる。
【００４３】
実施の形態７．
本実施の形態７は、汎用パソコンに図３のアプリケーションソフトウエアプログラム３−１とマイクロソフト社の表計算用アプリケーションソフトウエアであるＥＸＣＥＬがインストールされている場合、標準端子台記号台紙データ（図３の３−１０）およびユーザ端子台記号台紙データ（図３の３−１１）およびユーザ端子台記号紙データ（図３の３−１２）を図９（ｃ）のＥＸＣＥＬフォーマットデータ９−３に変換し、各種設計データとして容易に使用できることを可能にしたものである。また、図９（ｃ）のＥＸＣＥＬフォーマットデータ９−３で作成された各種設計データから、新しい端子台記号紙データ（図９の９−１）を容易に作成することを可能にしたものである。
【００４４】
次に、本実施の形態７について、あらかじめ登録されているユーザ端子台記号紙データをＥＸＣＥＬフォーマットデータに変換する方法について説明する。図９（ａ）は、行数３行、列数３列で構成された端子台記号紙データ９−１の一例を示したもので、端子台記号紙データ（図９の９−１）に記入されている端子番号、端子名称のデータを、図３の端子台記号紙作成ソフトウエア３−３により、端子台記号紙データの端子枠の配列に合わせてコンマで区切ったデータ形式である図９（ｂ）の９−２として示される、ＣＳＶ（Ｃｏｍｍａ  Ｓｅｐａｒａｔｅｄ  Ｖａｌｕｅ）形式に変換して、図３のＣＳＶ形式データ３−１６に登録する。次に、図３のＣＳＶ形式データ３−１６に登録されている図９のＣＳＶ形式データ９−２を、ＥＸＣＥＬのアプリケーションソフトウエアによりＥＸＣＥＬのフォーマットに変換して、図９のＥＸＣＥＬフォーマット９−３のデータにすることができる。
【００４５】
次に、ＥＸＣＥＬフォーマットのデータを使用して、新しく端子台記号紙データを作成する場合の方法について説明する。はじめに、作成したい端子台記号紙データと同一図形のデータを図３の標準端子台記号台紙データ３−１０、図３のユーザ端子台記号台紙データ３−１１、図３のユーザ端子台記号紙データ３−１２の中から１つのデータを選択する。次に、端子番号、端子名称のデータを、上記で選択した図形と同一形状のデータの配列で作成された図９のＥＸＣＥＬフォーマートデータ９−３をＥＸＣＥＬのアプリケーションソフトウエアによりコンマで区切ったデータ形式である図９の９−２として示されるＣＳＶ（Ｃｏｍｍａ  Ｓｅｐａｒａｔｅｄ  Ｖａｌｕｅ）形式に変換して、図３のＣＳＶ形式データ３−１６として登録する。次に、図３の端子台記号紙作成ソフトウエア３−３で、図３のＣＳＶ形式データ３−１６として登録されている図９のＣＳＶ形式データ９−２を読み込むことにより、図９の端子台記号紙データ９−１を作成することができる。
【００４６】
以上のように、本実施の形態においては、上述の実施の形態１と同様の効果が得られるとともに、さらに、標準端子台記号台紙データ、ユーザ端子台記号台紙データおよびユーザ端子台記号紙データを、ＥＸＣＥＬフォーマットデータ９−３に変換し、各種設計データとして容易に使用できるようにしたので、利便性が向上する。また、ＥＸＣＥＬフォーマットデータ９−３で作成された各種設計データから、新しい端子台記号紙データを容易に作成することも可能である。
【００４７】
実施の形態８．
端子台記号紙には１枚の用紙の両面に表記されているものがある。例えば、図１（ｃ）の１−１５が表面に印刷されていて、裏面に図１（ｃ）の１−１６が印刷されているものがある。このように１枚の端子台記号紙の両面の同じ位置に、片面印刷用のプリンタで印刷する場合、用紙の表面に配置した端子台記号紙と用紙の裏面に配置した端子台記号紙を左右対称になるように配置し、表面を印刷したあとに用紙を裏返し、裏面を印刷する必要がある。
【００４８】
本実施の形態８は、１枚の用紙に表面用と裏面用の端子台記号紙を表面と裏面の同一場所に印刷することを容易にしたものである。なお、表面の端子台記号紙を作成するときは表面印刷専用作成画面を設け、裏面の端子台記号紙を作成するときは裏面印刷専用作成画面を設ける。図１０に示すように、表面および裏面印刷専用画面には用紙の中心を基準にして、左右対称になっている格子状のグリッド線（図１０の１０−１ａ）が１０ｍｍ間隔で縦軸および横軸に設けてある。表面印刷専用作成画面は図１０の１０−１の位置に端子台記号紙を配置した時、図１０の１０−２で示されるように端子台記号紙の左上端が格子状グリッドの直近の左上座標に揃うように自動的に配置される。一方、裏面印刷専用作成画面では図１０の１０−３の位置に端子台記号紙を配置した時、図１０の１０−４のように端子台記号紙の右上端が格子状グリッドの直近の右上座標に揃うように自動的に配置される。このような手段を採ることにより、従来表面に表面用端子台記号紙を配置する場合は、用紙の左端からの寸法と用紙の上端からの寸法をミリメートル単位で設定する必要があり、また裏面に裏面用端子台記号紙を配置する場合は、用紙の右端からの寸法と用紙の上端からの寸法をミリメートル単位で設定する必要があり、設定に手間がかかっていたが、本実施の形態の場合は、用紙の表面に配置した表面用端子台記号紙と用紙の裏面に配置した裏面用端子台記号紙が上記のようにグリッド線上に自動的に配置されることにより、容易に左右対称になるように配置することができ、１枚の印刷用紙の表面と裏面の同じ位置に印刷することが可能となる。尚、両面印刷用のプリンタでも、同様の効果が得られる。
【００４９】
以上のように、本実施の形態においては、上述の実施の形態１と同様の効果が得られるとともに、さらに、表面および裏面印刷専用画面には用紙の中心を基準にして、左右対称になっている格子状のグリッド線（図１０の１０−１ａ）が１０ｍｍ間隔で縦軸および横軸に設けておき、表面印刷専用作成画面の場合には、端子台記号紙の左上端が格子状グリッドの直近の左上座標に揃うように自動的に配置し、裏面印刷専用作成画面の場合は、端子台記号紙の右上端が格子状グリッドの直近の右上座標に揃うように自動的に配置されるようにしたので、容易に左右対称になるように配置することができ、１枚の印刷用紙の表面と裏面の同じ位置に印刷することが可能となる。
【００５０】
実施の形態９．
端子台記号紙に記載されている端子名称は、電線に取り付けられるマークチューブに表記する名称と同一の場合がある。本実施の形態９は、端子台記号紙印刷ソフトウエアで作成した端子名称のデータを、各種マークチューブ印刷機専用の印刷データ形式に変換し、マークチューブへの印刷データとして作成し、登録することにより、マークチューブ印刷機専用の印刷データの作成を不要とするものである。本実施の形態９においては、はじめに、図１１のステップＳ１１−１で、図３の３−１３に登録されているユーザ端子台記号紙シートデータを読み出す。次に、ステップＳ１１−２で各種マークチューブ印刷機の形名またはデータ形式を選択する。次に、ステップＳ１１−３で選択されたデータ形式に変換する。次にステップＳ１１−４で、図３の３−１４のユーザマークチューブデータ３−１４として登録して完了となる。
【００５１】
以上のように、本実施の形態においては、上述の実施の形態１と同様の効果が得られるとともに、さらに、端子台記号紙印刷ソフトウエアで作成した端子名称のデータを、各種マークチューブ印刷機専用の印刷データ形式に変換し、マークチューブへの印刷データとして作成し、登録することにより、マークチューブ印刷機専用の印刷データの作成を不要とすることができる。
【００５２】
実施の形態１０．
端子台記号台紙には、図１３の１３−１として示されるように、端子名称として記号図図形等の図形が印字される場合がある。本実施の形態１０は、端子台記号台紙に上記のような図形データを作成することを容易にしたものである。図３の記号図図形データ３−１５には、図１３の記号図図形データ１３−３があらかじめ登録されており、また、必要に応じて、新しく記号図図形を作成し登録することができるようになっている。図３のユーザ端子台記号台紙データ３−１１の作成時に、あらかじめ、図１３の１３−３に登録されている記号図図形データの中から、所望の記号図図形データ１３−４を選択して、図１３の端子台記号台紙データ１３−２に貼り付けることができる。このことにより、端子台記号台紙に記号図図形を容易に作成することができる。また、ユーザ端子台記号紙データ３−１２の作成時においても、同様の操作が可能である。
【００５３】
以上のように、本実施の形態においては、上述の実施の形態１と同様の効果が得られるとともに、さらに、図３の記号図図形データ３−１５に、図１３の記号図図形データ１３−３をあらかじめ登録しておき、ユーザ端子台記号台紙データの作成時に、あらかじめ登録されている記号図図形データを、端子台記号台紙データ１３−２に貼り付けることができるようにしたので、端子台記号台紙に記号図図形を容易に作成することができる。
【００５４】
なお、上記実施の形態１〜１０の説明では、端子台を例に取って説明したが、器具符号用ラベルに応用しても同様の効果が得られる。
【００５５】
また、記憶手段１２−４は、図３のデータ登録手段３−９のデータや、図９のＣＳＶデータ９−２等を記憶することが可能であるので、繰り返して端子台記号紙を作成したり、既納品のデータを呼び出して復元することが可能である。
【図面の簡単な説明】
【００５６】
【図１】この発明の実施の形態１に係る端子台記号紙印刷データ作成装置における端子台記号台紙および端子台記号紙を示した説明図である。
【図２】この発明の実施の形態４に係る端子台記号紙印刷データ作成装置における用紙に印刷された端子台記号紙シートおよび切り取り線の設定項目を示した説明図である。
【図３】この発明の実施の形態１に係る端子台記号紙印刷データ作成装置における端子台記号紙印刷ソフトウエアの構成を示した説明図である
【図４】この発明の実施の形態１に係る端子台記号紙印刷データ作成装置における端子台記号台紙の図形設定のフローを示した流れ図である。
【図５】この発明の実施の形態２に係る端子台記号紙印刷データ作成装置における端子台記号台紙の互い配置設定のフローおよび設定画面を示した説明図である。
【図６】この発明の実施の形態３に係る端子台記号紙印刷データ作成装置における端子台記号台紙の耳および隙間設定のフローを示した流れ図である。
【図７】この発明の実施の形態４に係る端子台記号紙印刷データ作成装置における端子台記号台紙の切り取り線設定のフローを示した流れ図である。
【図８】この発明の実施の形態５に係る端子台記号紙印刷データ作成装置における端子台記号台紙の端子番号設定のフローおよび設定画面を示した説明図である。
【図９】この発明の実施の形態７に係る端子台記号紙印刷データ作成装置における端子台記号紙とＣＳＶ形式データとＥＸＣＥＬフォーマットデータで、同一の端子番号と端子名称を示した説明図である。
【図１０】この発明の実施の形態８に係る端子台記号紙印刷データ作成装置における表面印刷専用作成画面と裏面印刷専用作成画面を示した説明図である。
【図１１】この発明の実施の形態９に係る端子台記号紙印刷データ作成装置におけるマークチューブ印刷機用データの作成手順を表した流れ図である。
【図１２】この発明の実施の形態１に係る端子台記号紙印刷データ作成装置の構成を示したブロック図である。
【図１３】この発明の実施の形態１０に係る端子台記号紙印刷データ作成装置における記号図図形を示した説明図である。
【符号の説明】
【００５７】
１−１ａ  端子番号、１−１ｂ  端子名称、１−３，１−４，１−１１，１−１４  端子台記号台紙、１−５  端子代記号台紙の縦寸法、１−６  端子台記号台紙の横寸法、１−７  端子台枠１つ分の行寸法、１−８  端子台枠１つ分の列寸法、１−９，１−１２  端子台の隙間、１−１０  １つ分の端子台枠、１−１３  端子台の耳、１−１５，１−１６，１−１７，１−１８  端子台記号紙、２−１  端子台記号紙印刷シート、２−２  切り取り線。
【図１】
2006150739.tif 000003
【図２】
2006150739.tif 000004
【図３】
2006150739.tif 000005
【図４】
2006150739.tif 000006
【図５】
2006150739.tif 000007
【図６】
2006150739.tif 000008
【図７】
2006150739.tif 000009
【図８】
2006150739.tif 000010
【図９】
2006150739.tif 000011
【図１０】
2006150739.tif 000012
【図１１】
2006150739.tif 000013
【図１２】
2006150739.tif 000014
【図１３】
2006150739.tif 000015